(57)【特許請求の範囲】
【請求項１】
ｎ個のキーヤとｍ個のビデオエフェクト回路と、（ｎ＋１）個の（ｍ＋１）：１切替回路と、ｍ個の（ｎ＋２）：１切替回路と、から構成され、
第ｉの（ｍ＋１）：１切替回路は、第（ｉ−１）のキーヤの出力信号と、ｍ個のビデオエフェクト回路の出力信号のうち１つを第ｉのキーヤに供給し、ｉは２以上ｎ以下の自然数であり、第１の（ｍ＋１）：１切替回路は、入力映像信号とｍ個のビデオエフェクト回路の出力信号のうち１つを第１のキーヤに供給し、
第（ｎ＋１）の（ｍ＋１）：１切替回路は、第ｎのキーヤの出力信号と、ｍ個のビデオエフェクト回路の出力信号のうち１つを出力し、
第ｊの（ｎ＋２）：１切替回路は、前記（ｎ＋１）個の（ｍ＋１）：１切替回路の入力信号と第ｊ以外のビデオエフェクト回路の出力信号のうちの１つを選択して第ｊのビデオエフェクト回路に供給し、ｊはｍ以下の自然数であり、
各前記キーヤは、供給された映像信号にキーイング処理を施して出力し、
各前記ビデオエフェクト回路は、供給された映像信号に、ビデオエフェクト処理を施して出力する、
ことを特徴とする映像処理装置。
【請求項２】
さらに、ベースフェーダ設定を行うベースフェーダと、ベースフェーダの前段に配置された第０の（ｍ＋１）：１切替回路とを備え、
前記第０の（ｍ＋１）：１切替回路は、入力映像信号と前記ｍ個のビデオエフェクト回路の出力信号とのうちの１つを前記ベースフェーダに供給し、
前記ベースフェーダは、供給された映像信号に、ベースフェーダ処理を施して第１の（ｍ＋１）：１切替回路に出力し、
前記第ｊの（ｎ＋２）：１切替回路は、（ｎ＋３）：１切替回路とされ、第０〜第（ｎ＋１）の（ｍ＋１）：１切替回路の入力信号と第ｊ以外のビデオエフェクト回路の出力信号とのうちの１つを選択して第ｊのビデオエフェクト回路に供給する、
ことを特徴とする請求項１に記載の映像処理装置。
【請求項３】
さらに、前記第（ｎ＋１）の（ｍ＋１）：１切替回路の出力信号に位相調整を施して出力するＡＶＤＬ（Automatic Variable Delay Line：自動可変ディレーライン）を備える、
ことを特徴とする請求項１又は２に記載の映像処理装置。
【請求項４】
各前記（ｍ＋１）：１切替回路と、各前記（ｎ＋２）：１切替回路の選択する信号を制御する制御信号を供給する制御回路を備える、
ことを特徴とする請求項１乃至３のいずれか１項に記載の映像処理装置。
【請求項５】
前記キーヤと前記ビデオエフェクト回路は、それぞれ、供給された映像信号の位相を調整し、
前記制御回路は、前記キーヤと前記ビデオエフェクト回路との位相調整量を制御する、
ことを特徴とする請求項４に記載の映像処理装置。
【請求項６】
前記制御回路は、前記ビデオエフェクト回路への制御内容よりフレーム遅延有無を検出し、前記ビデオエフェクト回路の後の回路に、制御信号をフレーム遅延が無い場合に比べ所定の時間だけ遅らせて送信する、
ことを特徴とする請求項４または５に記載の映像処理装置。
【請求項７】
前記制御回路は、前記映像処理装置の動作中、前記映像処理装置のユーザからの指示に従って、前記キーイング処理と前記ビデオエフェクト処理との順序を入れ替える、
ことを特徴とする請求項４乃至６のいずれか１項に記載の映像処理装置。
【請求項８】
前記制御回路は、映像信号のブランキング期間に、各前記（ｍ＋１）：１切替回路と、各前記（ｎ＋２）：１切替回路と、に入力選択の切り替えを実行させるように制御する、
ことを特徴とする請求項７に記載の映像処理装置。
【請求項９】
ｎ個のキーヤとｍ個のビデオエフェクト回路とを論理的にシーケンシャルに配置し、
第（ｉ−１）のキーヤの出力信号と、ｍ個のビデオエフェクト回路の出力信号のうち１つを第ｉのキーヤに供給し、ｉは２以上ｎ以下の自然数であり、
入力映像信号とｍ個のビデオエフェクト回路の出力信号のうち１つを第１のキーヤに供給し、
第ｎのキーヤの出力信号と、ｍ個のビデオエフェクト回路の出力信号のうち１つを出力し、
入力映像信号とｎ個のキーヤの出力信号と第ｊ以外のビデオエフェクト回路の出力信号のうちの１つを選択して第ｊのビデオエフェクト回路に供給し、ｊはｍ以下の自然数であり、
各キーヤは、供給された映像信号にキーイング処理を施して出力し、
各ビデオエフェクト回路は、供給された映像信号に、ビデオエフェクト処理を施して出力する、
ことを特徴とする映像処理方法。
【請求項１０】
ｎ個のキーヤとｍ個のビデオエフェクト回路との間を相互に接続する接続回路を制御するコンピュータに、
第（ｉ−１）のキーヤの出力信号と、ｍ個のビデオエフェクト回路の出力信号のうち１つを第ｉのキーヤに供給させ、ｉは２以上ｎ以下の自然数であり、
入力映像信号とｍ個のビデオエフェクト回路の出力信号のうち１つを第１のキーヤに供給させ、
第ｎのキーヤの出力信号と、ｍ個のビデオエフェクト回路の出力信号のうち１つを出力させ、
入力映像信号とｎ個のキーヤの出力信号と第ｊ以外のビデオエフェクト回路の出力信号のうちの１つを選択して第ｊのビデオエフェクト回路に供給させるプログラムであって、ｊはｍ以下の自然数であり、
各キーヤは、供給された映像信号にキーイング処理を施して出力し、
各ビデオエフェクト回路は、供給された映像信号に、ビデオエフェクト処理を施して出力する、
プログラム。
【発明の詳細な説明】
【技術分野】
【０００１】
本発明は、映像信号に映像効果を施す映像処理装置及び映像処理方法に関する。
【背景技術】
【０００２】
映像番組を製作する際には、映像に特殊効果を加える必要があり、そのためにデジタルビデオエフェクト装置（以下、ＤＶＥ（Digital Video Effect）装置とする）といった映像効果装置が使用されている。
【０００３】
ＤＶＥ装置は、他の周辺装置と連結されることが多く、例えば、放送局の主調整室では、キーイング処理を施すキーヤと呼ばれる装置とＤＶＥ装置とを組み合わせることで、放送する映像に速報、時刻、天気スーパー等を追加する作業が行われている。
【０００４】
ＤＶＥ装置と他の装置・回路を組み合わせる例として、特許文献１に、両袖補完装置をＤＶＥ装置の前段に設けるよう構成されたＨＤＴＶスタジオサブシステムが開示されている。このＨＤＴＶスタジオサブシステムに、ＳＤＴＶ形式の信号を入力する際には、ＨＴＤＶ形式にアップコンバートする必要がある。しかし、アスペクト比の違いから、アップコンバートしたＳＤＴＶ信号の両袖部の映像情報が不足するため、両袖補完装置がアップコンバート化ＳＤＴＶ信号の両袖部に映像をはめ込み合成する。
【０００５】
また、特許文献２に開示されている映像合成装置は、ＤＶＥ装置の割付が変わる時に映像がずれることを防止するため、ＤＶＥ装置の出力の代わりとしてフレームメモリから出力した１フレーム分の映像を、ミックスキーヤに入力する。
【０００６】
さらに、特許文献３に開示されているＤＶＥ装置と映像遅延装置を組み合わせた映像効果装置は、ＤＶＥ装置のデジタル特殊効果モードをＯＮにしてからＤＶＥ装置の出力が安定するまでの間、ＤＶＥ装置の出力信号の代わりに映像遅延装置の出力信号を出力する。
【先行技術文献】
【特許文献】
【０００７】
【特許文献１】特開２００２−１６５１２９号公報
【特許文献２】特開２０００−２０９４９７号公報
【特許文献３】昭６２−２８１６８４号公報
【発明の概要】
【発明が解決しようとする課題】
【０００８】
特許文献１〜３に開示されている装置では、いずれも、ＤＶＥ装置と他の装置・回路で処理の順序は固定となっている。
【０００９】
従来、ＤＶＥ装置やキーヤはそれぞれが１つのモジュールであり、例えば、前述した放送局の主調整室では、ユーザが目的に従って、ＤＶＥ装置のモジュールとキーヤのモジュールを順番に配置し、デジタルビデオエフェクト処理（以下、ＤＶＥ処理とする）とキーイング処理の順序を設定する。
【００１０】
しかしながら、ＤＶＥ装置のモジュールとキーヤのモジュールの配置を変えなければ、ＤＶＥ処理とキーイング処理の順序を入れ替えることはできず、モジュールを組み合わせた装置が動作している間等には、処理の順序を入れ替えることは不可能であった。
【００１１】
本発明は、上記実情に鑑みなされたもので、キーイング処理とＤＶＥ処理が可能な映像処理装置であって、キーイング処理とＤＶＥ処理の順序を入れ替えることが可能な映像処理装置及び映像処理方法を提供することを目的とする。
【課題を解決するための手段】
【００１２】
上記の目的を達成するために、本発明の第１の観点に係る映像処理装置は、
ｎ個のキーヤとｍ個のビデオエフェクト回路と、（ｎ＋１）個の（ｍ＋１）：１切替回路と、ｍ個の（ｎ＋２）：１切替回路と、から構成され、
第ｉの（ｍ＋１）：１切替回路は、第（ｉ−１）のキーヤの出力信号と、ｍ個のビデオエフェクト回路の出力信号のうち１つを第ｉのキーヤに供給し、ｉは２以上ｎ以下の自然数であり、第１の（ｍ＋１）：１切替回路は、入力映像信号とｍ個のビデオエフェクト回路の出力信号のうち１つを第１のキーヤに供給し、
第（ｎ＋１）の（ｍ＋１）：１切替回路は、第ｎのキーヤの出力信号と、ｍ個のビデオエフェクト回路の出力信号のうち１つを出力し、
第ｊの（ｎ＋２）：１切替回路は、前記（ｎ＋１）個の（ｍ＋１）：１切替回路の入力信号と第ｊ以外のビデオエフェクト回路の出力信号のうちの１つを選択して第ｊのビデオエフェクト回路に供給し、ｊはｍ以下の自然数であり、
各前記キーヤは、供給された映像信号にキーイング処理を施して出力し、
各前記ビデオエフェクト回路は、供給された映像信号に、ビデオエフェクト処理を施して出力する、
ことを特徴とする。
【００１３】
上記の目的を達成するために、本発明の第２の観点に係る映像処理方法は、
ｎ個のキーヤとｍ個のビデオエフェクト回路とを論理的にシーケンシャルに配置し、
第（ｉ−１）のキーヤの出力信号と、ｍ個のビデオエフェクト回路の出力信号のうち１つを第ｉのキーヤに供給し、ｉは２以上ｎ以下の自然数であり、
入力映像信号とｍ個のビデオエフェクト回路の出力信号のうち１つを第１のキーヤに供給し、
第ｎのキーヤの出力信号と、ｍ個のビデオエフェクト回路の出力信号のうち１つを出力し、
入力映像信号とｎ個のキーヤの出力信号と第ｊ以外のビデオエフェクト回路の出力信号のうちの１つを選択して第ｊのビデオエフェクト回路に供給し、ｊはｍ以下の自然数であり、
各キーヤは、供給された映像信号にキーイング処理を施して出力し、
各ビデオエフェクト回路は、供給された映像信号に、ビデオエフェクト処理を施して出力する、
ことを特徴とする。
【００１４】
上記の目的を達成するために、本発明の第３の観点に係るプログラムは、
第（ｉ−１）のキーヤの出力信号と、ｍ個のビデオエフェクト回路の出力信号のうち１つを第ｉのキーヤに供給させ、ｉは２以上ｎ以下の自然数であり、
入力映像信号とｍ個のビデオエフェクト回路の出力信号のうち１つを第１のキーヤに供給させ、
第ｎのキーヤの出力信号と、ｍ個のビデオエフェクト回路の出力信号のうち１つを出力させ、
入力映像信号とｎ個のキーヤの出力信号と第ｊ以外のビデオエフェクト回路の出力信号のうちの１つを選択して第ｊのビデオエフェクト回路に供給させるプログラムであって、ｊはｍ以下の自然数であり、
各キーヤは、供給された映像信号にキーイング処理を施して出力し、
各ビデオエフェクト回路は、供給された映像信号に、ビデオエフェクト処理を施して出力する。
【発明の効果】
【００１５】
本発明によれば、キーイング処理とビデオエフェクト処理が可能な映像処理装置において、キーイング処理とビデオエフェクト処理の順序を入れ替えることができる。
【図面の簡単な説明】
【００１６】
【図１】実施形態に係る映像処理装置の基本構成を示すブロック図である。
【図２】制御回路の構成を示すブロック図である。
【図３】実施形態に係る映像処理装置の第２動作モードの動作例を示す図である。
【図４】実施形態に係る映像処理装置の第２動作モードの位相設定を示す図である。
【図５】実施形態に係る映像処理装置が処理する映像信号の例を示す図である。
【図６】実施形態に係る映像処理装置の第２動作モードの映像効果の例を示す図である。
【図７】実施形態に係る映像処理装置の第５動作モードの動作例を示す図である。
【図８】実施形態に係る映像処理装置の第５動作モードの位相設定を示す図である。
【図９】実施形態に係る映像処理装置の第５動作モードの映像効果の例を示す図である。
【図１０】実施形態に係る映像処理装置の第４動作モードの動作例を示す図である。
【図１１】実施形態に係る映像処理装置の第４動作モードの位相設定を示す図である。
【図１２】実施形態に係る映像処理装置の第４動作モードの映像効果の例を示す図である。
【図１３】実施形態に係る映像処理装置の基本構成を示すブロック図である。
【発明を実施するための形態】
【００１７】
以下、この発明の実施の形態に係る映像処理装置を説明する。
（第１の実施形態）
第１の実施形態に係る映像処理装置１は、ＤＶＥ処理とキーイング処理が可能な装置であり、それらの処理順を適宜設定変更可能な装置である。
【００１８】
映像処理装置１は、図１に示すように、ベースフェーダ１０１、キーヤ１０２、キーヤ１０３、キーヤ１０４、ＡＶＤＬ（Automatic Variable Delay Line：自動可変ディレーライン）１０５、切替回路２０１、切替回路２０２、切替回路２０３、切替回路２０４、切替回路２０５、切替回路５０１、ＤＶＥ６０１、及び制御回路７０１から構成されている。
【００１９】
なお、図１に示す各回路を結ぶ実線矢印は、映像処理装置１の各回路の入力信号と出力信号を示す。破線矢印は、制御回路７０１から各回路への制御信号を示す。
【００２０】
ベース信号１０００は、例えば、図示しない他の映像処理装置が出力した映像信号であり、映像処理装置１に入力され、ＤＶＥ処理やキーイング処理が施される。ベース信号１０００は、例えば、ＳＤＴＶ（Standard Definition Television）方式やＨＤＴＶ（High Definition Television）方式の映像信号である。
【００２１】
切替回路２０１は、ベース信号１０００とＤＶＥ６０１でＤＶＥ処理を施された出力信号を受け付け、制御回路７０１からの制御信号に従って、入力された２つの信号から１つを選択し、選択した入力信号をベースフェーダ１０１に出力する。
【００２２】
ベースフェーダ１０１は、ベース信号１０００に含まれる輝度・色信号のレベルを調整・設定し、切替回路２０２に出力する。この設定をベースフェーダ設定という。
【００２３】
切替回路２０２は、ベースフェーダ１０１の出力信号とＤＶＥ６０１の出力信号とを受け付け、制御回路７０１からの制御に従って、入力された２つの信号から１つを選択し、選択した入力信号をキーヤ１０２に出力する。
【００２４】
キーヤ１０２は、スーパー信号（フィル信号）Ｋ１とキー信号Ｋ２を入力信号に合成する。スーパー信号Ｋ１は、映像信号に重畳する文字スーパーを合成するためのキーであり、外部から供給される。キー信号Ｋ２は、文字スーパーを合成する際に、元の映像の打ち抜きに使用する信号であり、キーヤ１０２がスーパー信号Ｋ１から生成するセルフキー信号と、外部から入力される外部キー信号から、キーヤ１０２が選択した信号である。キーイング処理により、入力映像に速報・時刻・天気スーパー等を重ねあわせることができる。
【００２５】
また、キーイング処理を施す際、キーヤ１０２は入力信号にスーパー信号（フィル信号）Ｋ１を載せる割合を調整し、設定する。この設定をスーパーフェーダ設定という。
【００２６】
切替回路２０３は、キーヤ１０２の出力信号とＤＶＥ６０１の出力信号とを受け付け、制御回路７０１からの制御に従って、入力された２つの信号から１つを選択し、選択した入力信号をキーヤ１０３に出力する。
【００２７】
キーヤ１０３は、スーパー信号Ｋ３とキー信号Ｋ４に基づいて、入力信号にキーイング処理を施し、切替回路２０４に出力する。
【００２８】
切替回路２０４は、キーヤ１０３の出力信号とＤＶＥ６０１の出力信号とを受け付け、制御回路７０１からの制御に従って、２つの信号から１つを選択し、選択した入力信号をキーヤ１０４に出力する。
【００２９】
キーヤ１０４は、スーパー信号Ｋ５とキー信号Ｋ６に基づいて、入力信号にキーイング処理を施し、切替回路２０５に出力する。
【００３０】
切替回路２０５は、キーヤ１０４の出力信号とＤＶＥ６０１の出力信号とを受け付け、制御回路７０１からの制御に従って、２つの信号から１つを選択し、選択した入力信号をＡＶＤＬ１０５に出力する。
【００３１】
切替回路５０１は、ベース信号１０００、ベースフェーダ１０１の出力信号、及びキーヤ１０２、１０３、１０４の出力信号を受け付け、制御回路７０１からの制御信号に従って、入力された５つの信号から１つを選択し、選択した信号をＤＶＥ６０１へ出力する。
【００３２】
ＤＶＥ６０１は、入力映像信号に画面の合成、画面の切り替え等のＤＶＥ効果を施す装置である。
また、ＤＶＥ６０１は、デジタルビデオエフェクト効果（以下、ＤＶＥ効果とする）のパターン、例えば、入力された映像をどのくらい縮小するか、縮小した映像は、背景のどの位置に重ね合わせるか等、を設定する。この設定をパターン設定という。さらに、ＤＶＥ６０１は、ＤＶＥ効果を施すか否かのトランジション（状態遷移）を設定する。なお、合成対象の背景は、例えば、ＢＧＤ信号２０００により定義される。
本実施形態では、ＤＶＥ６０１は、常にＤＶＥ効果を施すよう設定されている。
【００３３】
ＡＶＤＬ１０５は、入力信号の位相を調整し、一定の位相で信号を出力する。以下、出力信号の位相を設定することを、位相設定と呼ぶことにする。本実施形態では、位相は、信号の時間的なズレを意味する。詳しくは後述する。
また、ＡＶＤＬ１０５は、映像処理装置１の同期信号を挿げ替える。
【００３４】
制御回路７０１は、映像処理装置１内の各回路処理を制御するため制御信号を出力する。
【００３５】
図２に示すように、制御回路７０１は、制御部７２１とメモリ７２２と通信部７２３とユーザインタフェース７２４とを備える。
制御部７２１は、ＣＰＵ（Central Processing Unit)等から構成され、メモリ７２２に記憶されている制御プログラムに従って動作し、映像処理装置１の各部に通信部７２３を介して制御信号を供給する。なお、制御の具体的な内容は、後述する。
メモリ７２１は、制御プログラムを記憶すると共に制御部７２１のワークメモリとして機能する。
通信部７２３は、各部に制御信号を供給する。
ユーザインタフェース７２４は、ユーザに現在の接続状況、動作モードなどを報知すると共に、ユーザの指示を入力する。
【００３６】
具体的には、制御回路７０１は、指定した入力信号を選択するよう切替回路２０１〜２０５、５０１を制御する。制御のタイミングは、表示映像に影響を与えないように、ベース信号処理回路が信号のブランキング期間を処理している間である。
【００３７】
また、制御回路７０１は、ベースフェーダ１０１のベースフェーダ設定、キーヤ１０２〜１０４のスーパーフェーダ設定、及びＤＶＥ６０１のパターン設定とトランジションを制御する。
【００３８】
さらに、制御回路７０１は、ブランキング期間に各回路の位相設定を制御する。制御の対象となるのは、ベースフェーダ１０１、キーヤ１０２〜１０４、ＡＶＤＬ１０５、ＤＶＥ６０１である。位相設定については後述する。
【００３９】
また、制御回路７０１は、ＤＶＥ６０１への制御内容よりフレーム遅延の有無を検出する。ＤＶＥ６０１への制御内容よりフレーム遅延を検出した場合、制御回路７０１は、ＤＶＥ６０１の処理の後に映像信号に処理を施す回路への制御信号をフレーム遅延が無い場合に比べ所定の時間遅らせて出力する。フレーム遅延については後述する。
【００４０】
前述した位相設定について説明する。
【００４１】
ベースフェーダ１０１、キーヤ１０２〜１０４、ＡＶＤＬ１０５、ＤＶＥ６０１の各回路は、入力信号に対して、引き込み範囲を持つ。引き込み範囲は、およそ所定本数の走査線を走査する時間の幅である。所定本数は、例えばＳＤＴＶの場合は１、ＨＤＴＶの場合１、３、等である。引き込み範囲を持っているため、各回路は、入力信号に時間的なズレすなわち位相差がある場合でも、信号を引き込む、つまり信号を入力として受け付け、一定の位相で出力することができる。
【００４２】
ただし、位相差がある信号を処理するためには、次のような前提条件が必要となる。
各回路の出力信号の位相（以下、出力位相とする）は、当該回路の出力信号に処理を施す次の回路の引き込み範囲内にある必要がある。
さらに、装置のユーザは映像処理時間が短いことを好むため、各回路の出力信号の位相と当該回路の出力信号に処理を施す次の回路の出力信号の位相の差が、小さくなるように位相を調整し、設定する必要がある。
【００４３】
これらの条件のため、当該回路の出力信号に処理を施す次の回路が、当該回路の出力信号を引き込めるようにするため、各回路は、入力信号を引き込んだタイミングで入力信号の位相を調整し、設定する。このため、本実施形態のベースフェーダ１０１、キーヤ１０２〜１０４、及び、ＤＶＥ６０１の信号の入力部には、入力信号の位相を調整するＡＶＤＬが配置されている。
【００４４】
一例として、ベースフェーダ１０１、キーヤ１０２、ＤＶＥ６０１、キーヤ１０３、ＡＶＤＬ１０５の順で処理を施す場合の位相設定について説明する。映像処理装置１の動作例を図３に、出力信号の位相設定を図４に示す。図４に示すように、ベースフェーダ１０１の出力位相は、キーヤ１０２の引き込み範囲内にある。また、キーヤ１０２の出力位相は、ＤＶＥ６０１の引き込み範囲内にある。
【００４５】
図４に示す遅延時間は、各回路での処理により発生する遅延である。これらの遅延により、次に処理を施す回路の引き込み範囲は、前の処理を行う回路の出力位相も含むように設定する必要がある。
【００４６】
また、ＤＶＥ装置は、画像伝送技術のひとつであるインターレース方式での映像信号の処理単位である１フレーム分の信号をメモリに入れ、映像効果処理を施す。このため、ＤＶＥ装置での処理時間は、１フレーム（例えば、ＮＴＳＣ圏の放送局向け機器の場合、約３０ミリ秒程度）＋α（数マイクロ秒）となる。つまり、ＤＶＥ装置での処理によって、１フレーム＋αの遅延すなわちフレーム遅延が発生することになる。
【００４７】
ＤＶＥの処理時間が１フレーム分遅れるが、位相特定の観点からはフレーム単位の遅延は同位相とみなすことができる。このため、図４に示すＤＶＥ６０１の位相の矢印は、１フレーム分戻るように表されている。
【００４８】
そして、制御回路７０１は、ＤＶＥ処理による１フレーム＋αの遅延を検出すると、ＤＶＥ処理の後に処理を行う回路（以降、ＤＶＥ後段の回路とする）に対しての制御信号を遅らせる。具体的には、制御回路７０１は、ＤＶＥ処理の前に処理を行った回路に対する制御信号と比べ、ＤＶＥ後段の回路への制御信号を相対的に１フレーム分の時間を遅らせて出力する。
【００４９】
この制御によって、ＤＶＥ処理の前に処理を行うベースフェーダ１０１、キーヤ１０２〜１０４、ＤＶＥ６０１等のトランジション（状態遷移）のタイミングと、ＤＶＥ処理の後に処理を行うベースフェーダ１０１、キーヤ１０２〜１０４、ＤＶＥ６０１等のトランジション（状態遷移）のタイミングと、を合わせることができる。制御信号を遅らせて出力することで、ＤＶＥ後段の回路の出力が遅延するが、フレーム単位の遅延は位相特性の観点から同位相とみなすことができ、ＤＶＥ後段の回路の位相設定には影響しない。
【００５０】
また、制御回路７０１が、制御信号を遅らせて出力するのは、ＤＶＥ６０１での処理が１フレーム＋αの遅延が出るような制御を検出した時であり、例えば、ＤＶＥ効果ＯＦＦと設定される場合には、ＤＶＥ６０１の回路内部でフレーム遅延をさせない系統も選択可能であり、そのような系統を選択した場合は制御信号の出力の遅延制御は必要ない。（なお、ＤＶＥ効果ＯＮ／ＯＦＦでの遅延を一定にすることを優先して、ＤＶＥ効果ＯＦＦと設定される場合でもＤＶＥ６０１の回路内部でフレーム遅延をさせる系統を選択することもある。）ただし、本発明に係る映像処理装置１は、ＤＶＥ処理とキーイング処理の順を入れ替えることができるので、制御回路７０１は、処理の順が入れ替わるたび、制御信号の出力タイミングを制御する。
次に、上記構成を有する映像処理装置１の動作を説明する。
【００５１】
（動作モードの選択）
上述したように、映像処理装置１は、ＤＶＥ処理とキーイング処理との順番を適宜設定可能であり、ｉ）ベースフェーダ１０１によるベースフェーダ設定→キーヤ１０２〜１０４によるキーイング処理→ＤＶＥ６０１によるＤＶＥ処理という処理順で処理を行う第１動作モード、ｉｉ）ベースフェーダ１０１によるベースフェーダ設定→キーヤ１０２〜１０３によるキーイング処理→ＤＶＥ６０１によるＤＶＥ処理→キーヤ１０４によるキーイング処理という処理順で処理を行う第２動作モード、ｉｉｉ）ベースフェーダ１０１によるベースフェーダ設定→キーヤ１０２によるキーイング処理→ＤＶＥ６０１によるＤＶＥ処理→キーヤ１０３、１０４によるキーイング処理という処理順で処理を行う第３動作モード、ｉｖ）ベースフェーダ１０１によるベースフェーダ設定→ＤＶＥ６０１によるＤＶＥ処理→キーヤ１０２〜１０４によるキーイング処理、という処理順で処理を行う第４動作モード、ｖ）ＤＶＥ６０１によるＤＶＥ処理→ベースフェーダ１０１によるベースフェーダ設定→キーヤ１０２〜１０４によるキーイング処理という処理順で処理を行う第５動作モード、という５つの処理モードが選択可能である。
【００５２】
ユーザは、図示せぬ入力装置から制御回路７０１に指示することにより、いずれかの動作モードを指示する。
【００５３】
指示に応答して、制御回路７０１は、ｉ）第１動作モードを選択する場合には、切替回路２０１にベース信号１０００を選択させ、切替回路２０２にベースフェーダ１０１の出力信号を選択させ、切替回路２０３にキーヤ１０２の出力信号を選択させ、切替回路２０４にキーヤ１０３の出力信号を選択させ、切替回路２０５にＤＶＥ６０１の出力信号を選択させ、切替回路５０１にキーヤ１０４の出力信号を選択させる制御信号を出力する。
【００５４】
また、制御回路７０１は、ｉｉ）第２動作モードを選択する場合には、切替回路２０１にベース信号１０００を選択させ、切替回路２０２にベースフェーダ１０１の出力信号を選択させ、切替回路２０３にキーヤ１０２の出力信号を選択させ、切替回路２０４にＤＶＥ６０１の出力信号を選択させ、切替回路２０５にキーヤ１０４の出力信号を選択させ、切替回路５０１にキーヤ１０３の出力信号を選択させる制御信号を出力する。
【００５５】
また、制御回路７０１は、ｉｉｉ）第３動作モードを選択する場合には、切替回路２０１にベース信号１０００を選択させ、切替回路２０２にベースフェーダ１０１の出力信号を選択させ、切替回路２０３にＤＶＥ６０１の出力信号を選択させ、切替回路２０４にキーヤ１０３の出力信号を選択させ、切替回路２０５にキーヤ１０４の出力信号を選択させ、切替回路５０１にキーヤ１０２の出力信号を選択させる制御信号を出力する。
【００５６】
また、制御回路７０１は、ｉｖ）第４動作モードを選択する場合には、切替回路２０１にベース信号１０００を選択させ、切替回路２０２にＤＶＥ６０１の出力信号を選択させ、切替回路２０３にキーヤ１０２の出力信号を選択させ、切替回路２０４にキーヤ１０３の出力信号を選択させ、切替回路２０５にキーヤ１０４の出力信号を選択させ、切替回路５０１にベースフェーダ１０１の出力信号を選択させる制御信号を出力する。
【００５７】
また、制御回路７０１は、ｖ）第５動作モードを選択する場合には、切替回路２０１に、ＤＶＥ６０１の出力信号を選択させ、切替回路２０２にベースフェーダ１０１の出力信号を選択させ、切替回路２０３にキーヤ１０２の出力信号を選択させ、切替回路２０４にキーヤ１０３の出力信号を選択させ、切替回路２０５にキーヤ１０４の出力信号を選択させ、切替回路５０１にベース信号１０００を選択させる制御信号を出力する。
【００５８】
次に、各動作モードでの動作を説明する。
ここでは、第２動作モード、第５動作モード、第４動作モードを例に説明する。
【００５９】
第２動作モードは、キーヤ１０２での処理の後にＤＶＥ処理を行う動作モードであり、映像信号は、太線で示される順番で処理される。このため、前述のように、ベースフェーダ１０１によるベースフェーダ設定、キーヤ１０２によるキーイング処理の後に、ＤＶＥ６０１による、ＤＶＥ処理が行われ、その後、キーヤ１０３と１０４によるキーイング処理が行われる。
また、なお、この動作モードでの、映像処理装置１の各回路の出力信号の位相設定を図４に示す。
【００６０】
次に、図５と図６を参照して、この動作モードでの映像処理の具体例を説明する。
ここで、映像処理装置１の処理の対象となるベース信号１０００、ＤＶＥ処理で使用する背景映像であるＢＧＤ信号２０００、キーヤ１０２で使用するスーパー信号Ｋ１／キー信号Ｋ２、キーヤ１０３で使用するスーパー信号Ｋ３／キー信号Ｋ４、キーヤ１０４で使用するスーパー信号Ｋ５／キー信号Ｋ６の例を図５（ａ）〜（ｅ）に示す。
【００６１】
映像処理装置１に、図５（ａ）に示すベース信号１０００が入力される。
【００６２】
切替回路２０１は、制御回路７０１の制御により、ベース信号１０００を選択し、受け付けた信号をベースフェーダ１０１に出力する。
【００６３】
ベースフェーダ１０１は、切替回路２０１の出力信号を入力とし、入力信号の位相を調整し、入力信号の輝度・色信号のレベルを調整し、調整した信号を切替回路２０２及び切替回路５０１に出力する。
【００６４】
切替回路２０２は、制御回路７０１の制御により、ベースフェーダ１０１の出力信号を選択し、受け付けた信号をキーヤ１０２に出力する。
【００６５】
キーヤ１０２は、切替回路２０２の出力信号を入力とし、入力信号の位相を調整し、入力信号に対してスーパー信号Ｋ１とキー信号Ｋ２を使用してキーイング処理を施し、図６（ａ）に示すような両信号が重畳した映像信号を生成し、切替回路２０３と切替回路５０１とに出力する。
【００６６】
切替回路５０１は、制御回路７０１の制御により、キーヤ１０２の出力信号を選択し、受け付けた信号をＤＶＥ６０１に出力する。
【００６７】
ＤＶＥ６０１は、切替回路５０１の出力信号を入力とし、入力信号の位相を調整し、入力の映像を縮小し、ＢＧＤ信号２０００の映像を背景として、両映像信号を合成する。これにより、図６（ｂ）に示す映像が得られる。ＤＶＥ６０１は、切替回路２０３に、ＤＶＥ出力４０００を出力する。また、ＤＶＥ６０１は、例えば、映像処理装置に接続されるモニタに、ＤＶＥ効果が施された信号であるＤＶＥ出力４０００を出力してもよい。
【００６８】
切替回路２０３は、制御回路７０１の制御により、ＤＶＥ６０１の出力信号を選択し、受け付けた信号をキーヤ１０３に出力する。
【００６９】
キーヤ１０３は、切替回路２０３の出力信号を入力とし、入力信号の位相を調整し、入力信号に対してスーパー信号Ｋ３とキー信号Ｋ４を使用してキーイング処理を施し、図６（ｃ）に示すような両信号が重畳した映像信号を生成し、切替回路２０４と切替回路５０１とに出力する。
【００７０】
切替回路２０４は、制御回路７０１の制御により、キーヤ１０３の出力信号を選択し、受け付けた信号をキーヤ１０４に出力する。
【００７１】
キーヤ１０４は、切替回路２０４の出力信号を入力とし、入力信号の位相を調整し、図６（ｃ）に示す映像の入力信号に対してスーパー信号Ｋ５とキー信号Ｋ６を使用してキーイング処理を施し、図６（ｄ）に示すような両信号が重畳した映像信号を生成し、切替回路２０５と切替回路５０１とに出力する。
【００７２】
切替回路２０５は、制御回路７０１の制御により、キーヤ１０４の出力信号を選択し、受け付けた信号をＡＶＤＬ１０５に出力する。
【００７３】
ＡＶＤＬ１０５は、切替回路２０５の出力信号を入力とし、入力信号の位相を調整し、位相調整した信号を、映像処理装置１の装置出力３０００として、例えば、映像処理装置１に接続されるモニタに出力する。
こうして、装置出力３０００として、図６（ｅ）に示される映像の映像信号が出力される。
【００７４】
次に、動作モード５での動作を説明する。
動作モード５では、図７に示すように、映像処理装置１は、ベースフェーダ設定の前にＤＶＥ処理を行う。
この場合の、映像処理装置１の各回路の出力信号の位相は、図８に示すように、ＤＶＥ６０１の出力位相が、ベースフェーダ１０１の引き込み範囲内にあり、ベースフェーダ１０１の出力位相がキーヤ１０２の引き込み範囲内にあり、キーヤ１０２の出力位相がキーヤ１０３の引き込み範囲内にあり、キーヤ１０３の出力位相がキーヤ１０４の引き込み範囲内にあり、キーヤ１０４の出力位相がＡＶＤＬ１０５の引き込み範囲内となるように調整される。
【００７５】
ここで、動作モード１の説明と同様に、図５（ａ）〜（ｅ）に示す信号が供給されたと仮定する。また、ＤＶＥ６０１の処理は、入力映像を縮小して背景映像の上に合成する処理であるとする。
この場合、ＤＶＥ６０１は、図５（ａ）に示すベース信号１０００の映像を縮小する処理を施し、さらに、ＢＧＤ信号２０００の映像を背景として、両映像信号を合成する。これにより、例えば、図９（ａ）に映像の映像信号が得られる。
ここで、ベースフェーダ１０１は、ベース信号１０００にベースフェーダ設定を行う。続いて、キーヤ１０２は、図９（ａ）に示す映像の入力信号に、図５（ｃ）に示す映像のスーパー信号Ｋ１／キー信号Ｋ２を合成し、図９（ｂ）に示す映像の映像信号を得る。
続いて、キーヤ１０３は、図９（ｂ）に示す映像の入力信号に、図５（ｄ）に示す映像のスーパー信号Ｋ３／キー信号Ｋ４を合成し、図９（ｃ）に示す映像の映像信号を得る。
続いて、キーヤ１０４は、図９（ｃ）に示す映像Ｂ４の入力信号に、図５（ｅ）に示す映像のスーパー信号Ｋ５／キー信号Ｋ６を合成し、図９（ｄ）に示す映像の映像信号を得る。
【００７６】
次に、動作モード４での動作を説明する。
図１０に示すように、映像処理装置１の動作例３では、ＡＶＤＬ１０５の処理の前にＤＶＥ処理を行う。太線は、映像処理装置１内で映像信号が処理される順序を示す。図１０に示すようにキーヤ１０４の出力信号がＤＶＥ６０１の入力となり、ＤＶＥ６０１の出力信号がＡＶＤＬ１０５の入力となる。
【００７７】
次に、動作モード４での動作を説明する。
動作モード４では、図１０に示すように、映像処理装置１は、キーヤ１０２〜１０４によるキーイング処理の後にＤＶＥ処理を行う。
この場合の、映像処理装置１の各回路の出力信号の位相は、図１１に示すように、ベースフェーダ１０１の出力位相がキーヤ１０２の引き込み範囲内にあり、キーヤ１０２の出力位相がキーヤ１０３の引き込み範囲内にあり、キーヤ１０３の出力位相がキーヤ１０４の引き込み範囲内にあり、キーヤ１０４の出力位相がＤＶＥ６０１の引き込み範囲内にあり、ＤＶＥ６０１の出力位相が、ＡＶＤＬ１０５の引き込み範囲内にある、となるように調整される。
【００７８】
ここで、動作モード１の説明と同様に、図５（ａ）〜（ｅ）に示す信号が供給されたと仮定する。また、ＤＶＥ６０１の処理は、入力映像を縮小して背景映像の上に合成する処理であるとする。
ここで、ベースフェーダ１０１は、ベース信号１０００にベースフェーダ設定を行う。続いて、キーヤ１０２は、図５（ａ）に示す映像の入力信号に、図５（ｃ）に示す映像のスーパー信号Ｋ１／キー信号Ｋ２を合成し、図１２（ａ）に示す映像の映像信号を得る。
続いて、キーヤ１０３は、図１２（ａ）に示す映像の入力映像信号に、図５（ｄ）に示す映像のスーパー信号Ｋ３／キー信号Ｋ４を合成し、図１２（ｂ）に示す映像の映像信号を得る。
続いて、キーヤ１０４は、図１２（ｂ）に示す映像Ｃ２の入力信号に、図５（ｅ）に示す映像のスーパー信号Ｋ５／キー信号Ｋ６を合成し、図１２（ｃ）に示す映像の映像信号を得る。
【００７９】
ＤＶＥ６０１は、キーヤ１０４の出力する図１２（ｃ）に示す映像を縮小する処理を施し、さらに、ＢＧＤ信号２０００の映像を背景として、両映像信号を合成する。これにより、例えば、図１１（ｄ）に示す映像の映像信号が得られる。
ＡＶＤＬ１０５は、切替回路２０５の出力信号を引き込み、引き込んだ信号の位相を調整し、位相調整した信号を、映像処理装置１の装置出力３０００として、例えば、映像処理装置１に接続されるモニタに出力する。
こうして、装置出力３０００として、図１１（ｅ）に示される映像の映像信号が出力される。
【００８０】
図６（ｅ）、図９（ｅ）、図１１（ｅ）に示すように、同一の信号を処理しているが、処理の順番を制御することにより、異なった効果を入力画像に与えることができる。
【００８１】
以上説明したように本実施形態の映像処理装置１によれば、ユーザが指定する順序で、映像信号にキーイング処理とＤＶＥ処理を施すことができる。そして、同じ映像信号、キー信号等を使用して、映像処理を行った場合でも、キーイング処理とＤＶＥ処理の順序を入れ替えることで、異なる映像効果を生み出すことができる。
【００８２】
制御回路７０１は、ブランキング期間内に、切替回路２０１〜２０５の入力信号選択の制御や、各回路の位相設定を制御する。ブランキング期間内に制御を行う利点としては、映像処理装置１が動作中であっても、出力信号の有効映像領域へ傷等の影響を与えることなく、キーイング処理とＤＶＥ処理の順序を入れ替えることができる。あるいは、スイッチングポイントに制御してもよい。スイッチングポイントとは、ブランキング期間内の映像信号の切り替えが行われるタイミングのことである。
【００８３】
最後に、本実施形態では、装置出力３０００を出力する直前に、ＡＶＤＬ１０５が位相を調整するが、その利点について説明する。キーイング処理とＤＶＥ処理の順序を入れ替えるため、切替回路２０１〜２０５、５０１が入力を切り替えるが、この切り替えにより、信号が不連続になり、位相が変わり、ノイズや信号断が発生する。ＡＶＤＬ１０５は、入力信号の位相を調整して、映像処理装置１の同期信号を挿げ替える。その結果、映像処理装置１全体の出力信号は連続したものとなる。
【００８４】
映像処理装置１の動作中にキーイング処理とＤＶＥ処理の順序を入れ替えない場合には、ＡＶＤＬ１０５がなくても問題ない。ただし、映像処理装置１がＡＶＤＬを有していない場合、映像処理装置１の動作中にキーイング処理とＤＶＥ処理の順序を入れ替えると、上述したように最終的な出力にノイズや信号断が発生する。
【００８５】
本実施形態では、キーヤを３個有する映像処理装置の例を説明したが、キーヤの個数を変更してもよい。ただし、本発明は、キーイング処理ができる映像処理装置を対象としているためキーヤは１個以上とする。
キーヤがｎ個である場合、２：１切替回路の個数を、２（ベースフェーダ１０１とＡＶＤＬ１０５の入力信号を切り替えるため）＋ｎ個に変更し、切替回路５０１を、（ｎ＋２）の信号から１つを選択する切替回路である（ｎ＋２）：１切替回路に変更する。
そして、制御回路７０１は、ユーザの操作指示など従って、各切替回路の入力選択を制御する。
【００８６】
また、本実施形態では、ＤＶＥを１個有する映像処理装置の例を説明したが、ＤＶＥの個数も変更してもよい。ただし、ＤＶＥは１個以上とする。
例えば、キーヤがｎ個で、ＤＶＥがｍ個を有しする映像処理装置の場合（ここでは、ベースフェーダとその前段の切替回路は無視する）、本実施形態の２：１切替回路を（ｍ＋１）：１切替回路に変更し、５：１切替回路を（ｎ＋２）：１切替回路に変更し、（ｎ＋２）：１切替回路の個数をｍ個とする。
ここで、第ｉの（ｍ＋１）：１切替回路は、第（ｉ−１）のキーヤの出力と、ｍ個のＤＶＥの出力信号のうち１つを第ｉのキーヤに供給し、ｉは２以上ｎ以下の自然数であり、第１の（ｍ＋１）：１切替回路は、入力映像信号とｍ個のＤＶＥの出力信号のうち１つを第１のキーヤに供給し、
第（ｎ＋１）の（ｍ＋１）：１切替回路は、第ｎのキーヤの出力と、ｍ個のＤＶＥの出力信号のうち１つを出力し、
第ｊの（ｎ＋２）：１切替回路は、前記（ｎ＋１）個の（ｍ＋１）：１切替回路の入力信号と第ｊ以外のＤＶＥの出力信号のうちの１つを選択して第ｊのＤＶＥに供給する。なお、ｊはｍ以下の自然数である。
そして、制御回路７０１は、ユーザの操作指示など従って、各切替回路の入力選択を制御する。
【００８７】
例えば、キーヤが２個で、ＤＶＥが２個で、ベースフェーダと及びＡＶＤＬを削除した回路の例を図１３に示す。
ここでは、３（ｎ＋１）個の３（ｍ＋１）：１切替回路２０２ａ、２０３ａ、２０４ａを配置し、２（＝ｍ）個の４（＝ｎ＋２）：１切替回路５０１ａ、５０１ｂを配置する。
そして、制御回路７０１は、ユーザの操作指示など従って、各切替回路の入力選択を制御する。
【００８８】
なお、上記の実施形態では、複数の切替回路を配置したが、ｎ個のキーヤとｍ個のＤＶＥとを相互に接続し、入力映像信号を第１段に供給し、第ｉ段の出力を第（ｉ＋１）に供給し、第（ｎ＋ｍ）段の処理結果を出力信号とし、その接続の順番を適宜変更できるならば、どのような構成の接続回路を採用してもよい。
【００８９】
上記の実施携帯では、ビデオエフェクト処理を施す例としてＤＶＥを配置したが、ビデオエフェクト処理を施す回路はアナログでもよい。
【００９０】
また、上記の実施形態の一部または全部は、以下の付記のようにも記載されうるが、以下には限られない。
【００９１】
（付記１）
ｎ個のキーヤとｍ個のビデオエフェクト回路と、（ｎ＋１）個の（ｍ＋１）：１切替回路と、ｍ個の（ｎ＋２）：１切替回路と、から構成され、
第ｉの（ｍ＋１）：１切替回路は、第（ｉ−１）のキーヤの出力信号と、ｍ個のビデオエフェクト回路の出力信号のうち１つを第ｉのキーヤに供給し、ｉは２以上ｎ以下の自然数であり、第１の（ｍ＋１）：１切替回路は、入力映像信号とｍ個のビデオエフェクト回路の出力信号のうち１つを第１のキーヤに供給し、
第（ｎ＋１）の（ｍ＋１）：１切替回路は、第ｎのキーヤの出力信号と、ｍ個のビデオエフェクト回路の出力信号のうち１つを出力し、
第ｊの（ｎ＋２）：１切替回路は、前記（ｎ＋１）個の（ｍ＋１）：１切替回路の入力信号と第ｊ以外のビデオエフェクト回路の出力信号のうちの１つを選択して第ｊのビデオエフェクト回路に供給し、ｊはｍ以下の自然数であり、
各前記キーヤは、供給された映像信号にキーイング処理を施して出力し、
各前記ビデオエフェクト回路は、供給された映像信号に、ビデオエフェクト処理を施して出力する、
ことを特徴とする映像処理装置。
（付記２）
さらに、ベースフェーダ設定を行うベースフェーダと、ベースフェーダの前段に配置された第０の（ｍ＋１）：１切替回路とを備え、
前記第０の（ｍ＋１）：１切替回路は、入力映像信号と前記ｍ個のビデオエフェクト回路の出力信号とのうちの１つを前記ベースフェーダに供給し、
前記ベースフェーダは、供給された映像信号に、ベースフェーダ処理を施して第１の（ｍ＋１）：１切替回路に出力し、
前記第ｊの（ｎ＋２）：１切替回路は、（ｎ＋３）：１切替回路とされ、第０〜第（ｎ＋１）の（ｍ＋１）：１切替回路の入力信号と第ｊ以外のビデオエフェクト回路の出力信号とのうちの１つを選択して第ｊのビデオエフェクト回路に供給する、
ことを特徴とする付記１に記載の映像処理装置。
（付記３）
さらに、前記第（ｎ＋１）の（ｍ＋１）：１切替回路の出力信号に位相調整を施して出力するＡＶＤＬ（Automatic Variable Delay Line：自動可変ディレーライン）を備える、
ことを特徴とする付記１又は２に記載の映像処理装置。
（付記４）
前記第０〜第（ｎ＋１）の（ｍ＋１）：１切替回路と、前記ｍ個の（ｎ＋２）：１切替回路の選択する信号を制御する制御信号を供給する制御回路を備える、
ことを特徴とする付記１乃至３のいずれか１つに記載の映像処理装置。
（付記５）
前記キーヤと前記ビデオエフェクト回路は、それぞれ、供給された映像信号の位相を調整し、
前記制御回路は、前記キーヤと前記ビデオエフェクト回路との位相調整量を制御する、
ことを特徴とする付記４に記載の映像処理装置。
（付記６）
前記制御回路は、前記ビデオエフェクト回路への制御内容よりフレーム遅延有無を検出し、前記ビデオエフェクト回路の後の回路に、制御信号をフレーム遅延が無い場合に比べ所定の時間だけ遅らせて送信する、
ことを特徴とする付記４または５に記載の映像処理装置。
（付記７）
前記制御回路は、前記映像処理装置の動作中、前記映像処理装置のユーザからの指示に従って、前記キーイング処理と前記ビデオエフェクト処理との順序を入れ替える、
ことを特徴とする付記４乃至６のいずれか１つに記載の映像処理装置。
（付記８）
前記制御回路は、映像信号のブランキング期間に、前記第０〜第（ｎ＋１）の（ｍ＋１）：１切替回路と、前記ｍ個の（ｎ＋２）：１切替回路と、に入力選択の切り替えを実行させるように制御する、
ことを特徴とする付記７に記載の映像処理装置。
（付記９）
ｎ個のキーヤとｍ個のビデオエフェクト回路とを論理的にシーケンシャルに（ｎ＋ｍ）段に配置し、
入力映像信号を第１段に供給し、第ｉ段の出力を第（ｉ＋１）に供給し、
第（ｎ＋ｍ）段の処理結果を出力信号とし、
前記ｎ個のキーヤとｍ個のビデオエフェクト回路との論理的順番を変更する、
ことを特徴とする映像処理方法。
（付記１０）
ｎ個のキーヤとｍ個のビデオエフェクト回路との間を相互に接続する接続回路を制御するコンピュータに、
入力映像信号を第１段に供給し、第ｉ段の出力を第（ｉ＋１）に供給するように、前記接続回路を制御し、
第（ｎ＋ｍ）段の処理結果を出力信号とするように、前記接続回路を制御する、
ことを実行させるためのプログラム。
【符号の説明】
【００９２】
１                      映像処理装置
１０１                  ベースフェーダ
１０２、１０３、１０４  キーヤ
１０５                  ＡＶＤＬ
２０１、２０２、２０３、２０４、２０５  切替回路
５０１                  切替回路
６０１                  ＤＶＥ
７０１                  制御回路
１０００                ベース信号
２０００                ＢＧＤ信号
３０００                装置出力
４０００                ＤＶＥ出力
Ｋ１、Ｋ３、Ｋ５        スーパー信号
Ｋ２、Ｋ４、Ｋ６        キー信号
１ａ                    映像効果装置
１０２ａ、１０３ａ、    キーヤ
２０２ａ、２０３ａ、２０４ａ  切替回路
５０１ａ、５０２ａ      切替回路
６０１ａ、６０２ａ      ＤＶＥ
７０１ａ                制御回路
１０００ａ              ベース信号
２０００ａ、２００１ａ  ＢＧＤ信号
３０００ａ              装置出力
４０００ａ              ＤＶＥ出力
Ｋ１ａ、Ｋ３ａ、Ｋ５ａ  スーパー信号
Ｋ２ａ、Ｋ４ａ、Ｋ６ａ  キー信号
【図１】
0005900114.tif 000002
【図２】
0005900114.tif 000003
【図３】
0005900114.tif 000004
【図４】
0005900114.tif 000005
【図５】
0005900114.tif 000006
【図６】
0005900114.tif 000007
【図７】
0005900114.tif 000008
【図８】
0005900114.tif 000009
【図９】
0005900114.tif 000010
【図１０】
0005900114.tif 000011
【図１１】
0005900114.tif 000012
【図１２】
0005900114.tif 000013
【図１３】
0005900114.tif 000014